(57)【要約】【課題】主に、スイッチ装置の内部へ入り込んだ飲料などの液体を効率良く外部へ排出し得るようにする。【解決手段】回路基板５を収容する本体ケーシング６と、  本体ケーシング６の上面７に配設されたスイッチ操作部８と、  スイッチ操作部８を取り囲むように本体ケーシング６の上部に設置された枠部９とを備えると共に、  枠部９が、本体ケーシング６に対し爪固定部１１で固定されたスイッチ装置４に関する。  爪固定部１１の位置に、枠部９の内外間を連通する水抜部２１を設けるようにする。【選択図】図１
2019083132.tif 000002
【特許請求の範囲】
【請求項１】
回路基板を収容する本体ケーシングと、
該本体ケーシングの上面に配設されたスイッチ操作部と、
該スイッチ操作部を取り囲むように前記本体ケーシングの上部に設置された枠部とを備えると共に、
該枠部が、前記本体ケーシングに対し爪固定部で固定されたスイッチ装置において、
前記爪固定部の位置に、前記枠部の内外間を連通する水抜部を設けたことを特徴とするスイッチ装置。
【請求項２】
請求項１に記載のスイッチ装置において、
前記爪固定部が、前記本体ケーシングの側面上部に設けられた爪部と、
前記枠部から前記本体ケーシングの側面の外側に沿って下方へ突設され、前記爪部に係合可能な係止片とを備え、
前記水抜部が、前記本体ケーシングの側面の前記爪部よりも上側となる位置に設けられた切欠状部であることを特徴とするスイッチ装置。
【請求項３】
請求項１または請求項２に記載のスイッチ装置において、
前記水抜部が、少なくとも最も低い位置にある前記爪固定部に対して設けられたことを特徴とするスイッチ装置。
【請求項４】
請求項１ないし請求項３のいずれか１項に記載のスイッチ装置において、
前記水抜部は、前記爪固定部を構成する係止片よりも広幅の切欠状部とされたことを特徴とするスイッチ装置。
【請求項５】
請求項１ないし請求項４のいずれか１項に記載のスイッチ装置において、
前記本体ケーシングが、センターコンソールに設けられ、
前記スイッチ操作部が、マルチファンクションスイッチであることを特徴とするスイッチ装置。
【発明の詳細な説明】
【技術分野】
【０００１】
この発明は、スイッチ装置に関するものである。
【背景技術】
【０００２】
自動車などの車両には、例えば、車室内の運転席と助手席との間に設けられるセンターコンソールの部分に、マルチファンクションスイッチなどのスイッチ装置を設置したものが存在している（例えば、特許文献１参照）。
【先行技術文献】
【特許文献】
【０００３】
【特許文献１】特開２００５−９６６５５号公報
【特許文献２】特開２０１０−２３２０９６号公報
【発明の概要】
【発明が解決しようとする課題】
【０００４】
しかしながら、センターコンソールには、上記したようなスイッチ装置の他にも、例えば、シフト操作装置や、カップホルダーや、コンソールボックスなどのような各種の機器や設備が設置されるようになっているため、例えば、カップホルダーに収容する飲料容器から飲料がこぼれて近くにあるスイッチ装置などにかかってしまうようなことなどが考えられる。
【０００５】
スイッチ装置に飲料がかかると、スイッチ装置の内部へ飲料が入り込んで内部に収容されている回路基板を濡らすことで、回路基板にショートや、腐食などが発生し、スイッチが機能しなくなるおそれがある。
【０００６】
これに対し、特許文献２のようにスイッチ装置の側面に開口部を形成して、内部へ入り込んだ飲料を開口部から外へ排出できるようしたものも知られている。
【０００７】
しかし、単に開口部を設けただけだと、水抜けが良くなく、また、内部に少量の飲料が残ってしまうのを避けることができないなどの問題があった。
【０００８】
そこで、本発明は、主に、上記した問題点を解決することを目的としている。
【課題を解決するための手段】
【０００９】
上記課題を解決するために、本発明は、
回路基板を収容する本体ケーシングと、
該本体ケーシングの上面に配設されたスイッチ操作部と、
該スイッチ操作部を取り囲むように前記本体ケーシングの上部に設置された枠部とを備えると共に、
該枠部が、前記本体ケーシングに対し爪固定部で固定されたスイッチ装置において、
前記爪固定部の位置に、前記枠部の内外間を連通する水抜部を設けたことを特徴とする。
【発明の効果】
【００１０】
本発明によれば、上記構成によって、スイッチ装置の内部へ入り込んだ飲料などの液体を、爪固定部を利用して効率良く外部へ排出することなどができる。
【図面の簡単な説明】
【００１１】
【図１】本実施の形態にかかるスイッチ装置の全体斜視図である。
【図２】図１のＡ−Ａ線に沿った縦断面図である。
【図３】図１のスイッチ装置の前部の部分拡大斜視図である。
【図４】本体ケーシングの前部の部分拡大斜視図である。
【図５】図４の本体ケーシングにスイッチ操作部を取付けた状態を示す部分拡大斜視図である。
【図６】枠部の単品図である。
【図７】比較例にかかるスイッチ装置の全体斜視図である。
【図８】図７のＢ−Ｂ線に沿った縦断面図である。
【発明を実施するための形態】
【００１２】
以下、本実施の形態を、図面を用いて詳細に説明する。
図１〜図８は、この実施の形態を説明するためのものである。
【実施例１】
【００１３】
＜構成＞以下、この実施例の構成について説明する。
【００１４】
この実施例において、上下方向１、前後方向２、左右方向３などの方向は、スイッチ装置４を基準としている。なお、図中、ＦＲは前側、ＲＲは後側、ＤＲは、運転席側、ＡＳは助手席側であり、右ハンドル車に設置した場合で示している。但し、左ハンドル車に設置する場合には、運転席側ＤＲと助手席側ＡＳは反対になる。
【００１５】
図１の全体斜視図、図２の断面図、図３の部分拡大図に示すように（主に、図２参照）、この実施例のスイッチ装置４は、
回路基板５を収容する本体ケーシング６と、
本体ケーシング６の上面７に配設されたスイッチ操作部８と、
スイッチ操作部８を取り囲むように本体ケーシング６の上部に設置された枠部９とを備えている。
そして、枠部９が、本体ケーシング６に対し爪固定部１１で固定されている。
【００１６】
ここで、スイッチ装置４は、文字通り、スイッチ操作を行うための装置のことである。
【００１７】
回路基板５は、どのようなものであっても良いが、例えば、スイッチ操作部８に対する操作に応じた制御を行うための制御回路などを備えたものなどとしても良い。
【００１８】
本体ケーシング６（図４も併せて参照）は、少なくとも上面７と側面１２とを有する無底の中空部材となっており、その底面側の開口部分に回路基板５が設置されている。回路基板５の設置後には、本体ケーシング６の底面を、蓋（底蓋）などで塞ぐようにしても良い。
【００１９】
本体ケーシング６は、その側面１２の上部に、上面７を取り囲んで、上面７の上に浅皿状部分を形成する周方向に連続した周壁部１３を有するようなものとしても良い。本体ケーシング６は、樹脂製などとされると共に、本体ケーシング６の上面７と側面１２と周壁部１３とは、ほぼ同じ一定の肉厚になるように形成されている。この実施例では、本体ケーシング６は、平面視ほぼ四角状のものとされているが、本体ケーシング６の平面形状は、例えば、長円形やその他の形状などとしても良い。
【００２０】
本体ケーシング６の上面７には、上下方向１へ延びる案内筒１４が上下に貫通した状態で一体に設けられている。この案内筒１４は、スイッチ操作部８の押し込み操作を案内するなどのためのものなどとされる。案内筒１４によって、本体ケーシング６の上面７に開口部が形成される。案内筒１４は、本体ケーシング６の側面１２や上面７よりも若干薄肉に形成されている。なお、本体ケーシング６の上面７を貫通する開口部や隙間は、案内筒１４に限るものではない。
【００２１】
スイッチ操作部８（図５も併せて参照）は、押ボタンスイッチ１５や、ダイヤルスイッチ１６や、その他のスイッチなどの操作部品を備えている。例えば、押ボタンスイッチ１５は、樹脂製などとされると共に、案内筒１４よりも大きい押圧面１５ａと、押圧面１５ａの下面から下方へ延びる昇降筒１５ｂとを有している。押圧面１５ａは、案内筒１４を上から覆うように設置され、昇降筒１５ｂは、案内筒１４の内側へ挿入されて案内筒１４によって上下方向１の動きを案内される。昇降筒１５ｂは、本体ケーシング６の側面１２や上面７などとほぼ等しい肉厚のものなどとされている。昇降筒１５ｂは、その下端部によって回路基板５の上に実装されたスイッチ接点を押圧し得る押圧体などとしても良い。押ボタンスイッチ１５は、復帰バネなどの弾性体によって、上昇限度位置へと復帰されるように常時上方へ付勢するようにしても良い。
【００２２】
枠部９（図６も併せて参照）は、樹脂製の化粧部材（ベゼル）などとされている。枠部９は、例えば、スイッチ操作部８を取り囲むスイッチ包囲部９ａと、本体ケーシング６における周壁部１３の上側に位置して本体ケーシング６の側面１２とほぼ面一に連なる本体連接部９ｂとを一体に有するものなどとしても良い。
【００２３】
爪固定部１１は、爪係止によって固定を行うための固定構造のことである。爪固定部１１には各種のものが存在しているが、この実施例の爪固定部１１については、後述する。この実施例では、爪固定部１１は、平面視ほぼ四角状をした本体ケーシング６の各コーナー部の位置や、本体ケーシング６の各辺の中間部などに、それぞれ単数または複数設けられている。この実施例では、爪固定部１１は、本体ケーシング６の側面１２を構成する各面（後面を除く前面や左右面）の両側部に一対ずつ設けられている。本体ケーシング６の側面１２における後側ＲＲとなる面については、辺の中間部に爪固定部１１が一つのみ設けられている。但し、爪固定部１１の配置は、これに限るものではない。また、各部の肉厚については、上記に限るものではない。
【００２４】
上記のような基本的な構成に対し、この実施例では、以下のような構成を備えるようにしている。
【００２５】
（１）図３（図４）に示すように、爪固定部１１の位置に、枠部９の内外間を連通する水抜部２１を設けるようにする。
【００２６】
ここで、爪固定部１１の位置とは、爪固定部１１と少なくともその一部または全部が（上下方向１、前後方向２、左右方向３に）重なる位置のことである。
【００２７】
枠部９の内外間は、周壁部１３の内側の浅皿状部分と、枠部９の外側の部分との間のことである。
【００２８】
水抜部２１は、例えば、浅皿状部分へ入った飲料などの液体を外部へ抜くためのものである。水抜部２１は、どのようなものとしても良いが、好ましくは、後述するようなものとする。
【００２９】
（２）爪固定部１１が、本体ケーシング６の側面１２上部に設けられた爪部３１と、
枠部９から本体ケーシング６の側面１２の外側に沿って下方へ突設され、爪部３１に係合可能な係止片３２とを備えるようにしても良い。
そして、水抜部２１が、本体ケーシング６の側面１２の爪部３１よりも上側となる位置に設けられた切欠状部３３としても良い。
【００３０】
ここで、爪部３１は、本体ケーシング６の側面１２から横（肉厚方向の外方）へ突出する突起部とされている。爪部３１は、その上側に係止片３２を案内するガイドテーパ３１ａ（図２）を有すると共に、その下側に係止片３２に設けた爪穴部３２ａ（図６）が係合する係合面３１ｂ（図２）を有している。ガイドテーパ３１ａは、下方へ進むに連れて本体ケーシング６の外方へ向かう斜面となっている。係合面３１ｂは、本体ケーシング６の側面１２とほぼ垂直な横面となっている。この実施例では、爪部３１は、本体ケーシング６の上面７とほぼ同じ高さか、それよりも若干高い位置に設けられている。
【００３１】
係止片３２は、図６に示すように、枠部９から下へ向けて一体に突設された、本体ケーシング６の側面１２とほぼ平行な面を有する舌片などとされている。係止片３２は、爪部３１と一対一に対応するように設けられている。係止片３２は、案内筒１４などとほぼ等しい肉厚を有している。爪穴部３２ａは、係止片３２のほぼ中央部に設けられている。
【００３２】
より具体的には、係止片３２は、左右一対の縦桟部３２ｂと、左右の縦桟部３２ｂの下端部間を連結する横桟部３２ｃとを有する、正面から見てほぼＵ字状のものとされている。爪穴部３２ａは、枠体の下縁部と、左右の縦桟部３２ｂと、横桟部３２ｃとの間に形成された比較的大きなもの（爪部３１よりも大きなもの）とされている。
【００３３】
係止片３２は、図２に示すように、横桟部３２ｃの下部内面に爪部３１のガイドテーパ３１ａによって案内されるテーパ部３２ｄを有すると共に、横桟部３２ｃの上部（爪穴部３２ａの下縁部）に爪部３１の係合面３１ｂに係止される係止面３２ｅを有している。テーパ部３２ｄは、下方へ進むに連れて本体ケーシング６の外方へ向かう斜面となっている。係止面３２ｅは、係止片３２とほぼ平行な横面となっている。
【００３４】
なお、本体ケーシング６の側面１２には、爪部３１の周囲に、係止片３２を収容可能な収容凹部３５を部分的に形成しても良い。収容凹部３５は、係止片３２を本体ケーシング６の側面１２とほぼ面一にするために、爪部３１の厚みとほぼ等しい深さで横に凹む段差部としても良い。収容凹部３５は、通常、係止片３２と干渉しないように、係止片３２よりも若干大きい形状を有するものとされているが、この実施例では、収容凹部３５を、通常のものよりも大きくして（切欠状部３３へ排出された）飲料などの液体を溜め得る液体貯留部などとしても良い。液体貯留部は、表面張力によって飲料などの液体を導いたり保持したりできる最大の大きさなどとするのが好ましい。
【００３５】
水抜部２１は、本体ケーシング６の周壁部１３に設けた孔部（水抜孔）などとすることもできる。しかし、より多くの液体を水抜部２１から抜くことができるように、水抜部２１は、切欠状部３３とするのが好ましい。切欠状部３３は、本体ケーシング６の周壁部１３を切欠いたような形状のものなどとされる。切欠状部３３は、少なくとも、係止片３２の爪穴部３２ａの上部と重なる位置に設けられる。
【００３６】
なお、切欠状部３３は、本体ケーシング６の周壁部１３に上面７よりも僅かに高くなった突出縁３６（図２）を残して形成しても良い。この突出縁３６は、爪部３１をより高い位置に設けて、係止片３２を短くてバランスの良い形状にするために設けられる。突出縁３６は、切欠状部３３を補強する効果も期待できる。
【００３７】
突出縁３６は、また、表面張力によって液体を引き寄せて付着させる液体付着部として使用することができる。この液体付着部は、付着した液体が容易に乗り越えられる程度の高さなどとすることにより、液体を爪固定部１１へと送るための液体誘導部などとすることができる。液体付着部や液体誘導部などとなる突出縁３６は、その高さが、本体ケーシング６の側面１２や上面７の肉厚よりも低く形成されている。
【００３８】
（３）図１に示すように、水抜部２１は、少なくとも最も低い位置にある爪固定部１１に対して設けるようにしても良い。
【００３９】
ここで、スイッチ装置４は、水平状態で設置される場合や、傾斜状態で設置される場合がある。また、爪固定部１１は、通常、スイッチ装置４に対して複数設けられるが、複数の爪固定部１１は、全てが同じ高さに揃えて設置される場合や、高さを異ならせて設置される場合がある。この実施例では、全ての爪固定部１１を同じ高さに揃えてスイッチ装置４に設けると共に、スイッチ装置４は前下がりに傾斜した状態で設置されるものとしている。
【００４０】
よって、前下がりに傾斜配置されたスイッチ装置４の場合、水抜部２１は、少なくともスイッチ装置４の前部（例えば、側面１２における前側ＦＲに位置する面）に設けた爪固定部１１に対して設けるようにする。更に、本体ケーシング６の側面１２における左右の面の前側に位置する爪固定部１１に対して、水抜部２１を設けても良い。
【００４１】
（４）図３に示すように、水抜部２１は、爪固定部１１を構成する係止片３２よりも広幅の切欠状部３３（広幅切欠部５１）としても良い（広幅切欠部５１の幅＞係止片３２の幅）。
【００４２】
ここで、水抜部２１は、最低限、爪穴部３２ａの幅と同じかそれよりも広くなるようにして、爪穴部３２ａと少なくとも一部が重なるように設置する。
【００４３】
更に、スペース的な余裕がある場合には、水抜部２１を広幅切欠部５１にして係止片３２の両側へハミ出すように設けるのが好ましい。この実施例では、本体ケーシング６の側面１２における左右の面の前側に位置する水抜部２１を広幅切欠部５１にしている。
【００４４】
なお、スペース的な余裕が十分にない場合には、水抜部２１は、係止片３２とほぼ同程度の幅にしたり、係止片３２よりも若干広幅にしたりして、水抜部２１を係止片３２の片側にのみハミ出すように設けても良い。この実施例では、本体ケーシング６の側面１２における前側の面に設けた水抜部２１を、係止片３２の片側にのみハミ出すようにしている。
【００４５】
更に、図４に示すように、本体ケーシング６の周壁部１３の位置に、ピン孔を有するボス部５３を一体に設け、枠部の下部に、ピン孔へ嵌合可能な位置決め用のピンを下方へ向けて突設するようにしても良い。これにより、ボス部５３のピン孔に位置決め用のピンを嵌合することで、本体ケーシング６と枠部９との（上下方向１および水平方向に対する）位置決めを行わせ得ることができる。ボス部５３は、周壁部１３に沿い間隔を置いて複数設けられる。複数のボス部５３は、基本的に同じ高さに形成するのが好ましい。
【００４６】
このような構造を有する場合に、水抜部２１としての切欠状部３３は、隣接するボス部５３間に形成するようにしても良い。このように、ボス部５３間に水抜部２１としての切欠状部３３を設けることで、ボス部５３を利用して、切欠状部３３を容易に設けることができると共に、切欠状部３３の周辺の強度を確保できるようになる。この実施例では、本体ケーシング６の周壁部１３の前側となる面の中間部と、周壁部１３の左右の面の前側とに、それぞれボス部５３を設けると共に、隣接するボス部５３間に、本体ケーシング６のコーナー部を残して、それぞれ切欠状部３３を２つずつ設けるようにしている。なお、本体ケーシング６のコーナー部には、ボス部５３を設けるようにしても良い。
【００４７】
（５）本体ケーシング６は、センターコンソール６１に設けるようにしても良い。
そして、スイッチ操作部８は、マルチファンクションスイッチ６２としても良い。
【００４８】
ここで、センターコンソール６１は、自動車などの車両の運転席と助手席との間に設置される内装設備である。センターコンソール６１には、例えば、シフト操作装置や、カップホルダーや、コンソールボックスなどのような各種の機器や設備が設置される。スイッチ装置４の本体ケーシング６は、センターコンソール６１の前側の位置に、その前部を車両前方へ向けて前下がり状態で設置される。
【００４９】
上記したマルチファンクションスイッチ６２は、１つのスイッチ装置４だけで車両に設けられた複数の設備を切り替えて自由に操作できるようにした利便性の高い多機能スイッチである。マルチファンクションスイッチ６２では、例えば、カーナビゲーションシステムやオーディオシステムや車載カメラなどを手元で自由に切り替えることができるようになっている。
【００５０】
＜作用＞以下、この実施例の作用について説明する。
【００５１】
スイッチ装置４は、本体ケーシング６の上面７に配設されたスイッチ操作部８を枠部９（ベゼル）で取り囲んだ構造とされている。枠部９は、本体ケーシング６の上部に設置され、爪固定部１１によって本体ケーシング６に固定されている。本体ケーシング６の内部には、回路基板５が収容されている。
【００５２】
ここで、図７、図８は、比較例のスイッチ装置４である。このスイッチ装置４は、水抜部２１が設けられていないこと以外は、この実施例のスイッチ装置４とほぼ同様の構成を有している。そのため、枠部９の内側は、浅皿状部分を構成する周壁部１３が完全に閉じた状態となっている。
【００５３】
この比較例のスイッチ装置４では、スイッチ操作部８の上に、例えば、飲料などの液体をこぼした場合に、スイッチ操作部８と枠部９との間から入り込んだ飲料などの液体が、本体ケーシング６の上面７と枠部９との間の浅皿状部分の内部に溜まって外へ出られない状態になる。こぼした液体が多い場合には、液体は、浅皿状部分からスイッチ操作部８の押し込み操作を案内する案内筒１４の内側などを通って本体ケーシング６内部の回路基板５に達することになり、また、こぼした液体が少ない場合でも、例えば、車両の走行振動などで浅皿状部分に溜まった液体が跳ね上がることで、案内筒１４を通って本体ケーシング６内部の回路基板５に達するおそれがある。
【００５４】
そして、回路基板５が飲料などの液体で濡れると、回路基板５に、ショートや、腐食などが発生する原因となり、スイッチが機能しなくなるおそれがある。
【００５５】
これに対し、周壁部１３（の爪固定部１１以外の位置）に開口部を設ける対策も考えられるが、単に開口部を設けただけだと、水抜けが遅く、また、開口部から液体を完全に抜くことが難しいため、少量の液体が内部に残ったままになってしまう。更に、開口部が外部から目立つことで、外観品質も悪くなる。
【００５６】
＜効果＞この実施例によれば、以下のような効果を得ることができる。
【００５７】
（効果１）水抜部２１について
【００５８】
この実施例のスイッチ装置４では、（本体ケーシング６と枠部９との間に設けられた）爪固定部１１の位置に、枠部９の内外間を連通する水抜部２１を設けるようにした。これにより、スイッチ操作部８の上に、例えば、飲料などの液体をこぼした場合に、枠部９の内側へ入り込んだ飲料などの液体を、爪固定部１１の位置に設けた水抜部２１から、枠部９の外側へ直接排出する（または、水抜きを行う）ことなどができるようになる。
【００５９】
これにより、スイッチ操作部８にかかった飲料などの液体が、本体ケーシング６の上面７から（案内筒１４などの開口部や隙間を通って）本体ケーシング６の内部へ入り込む前に水抜部２１を通して外部へ排出されるので、飲料などの液体が本体ケーシング６の内部へ入り込むのを未然に防ぐことができる。そのため、飲料などの液体が、本体ケーシング６の内部に収容された回路基板５に達しないようにして、回路基板５が濡れるのを防止できる。よって、回路基板５に、ショートや、腐食などが発生するのを防いで、スイッチが機能しなくなるような不具合をなくすことができる。
【００６０】
しかも、上記に加えて、爪固定部１１は複雑な形状をしているため、飲料などの液体は、後述するように、複雑な形状となっている爪固定部１１の隙間へと毛管現象によって入り込んで行くことになる。そのため、例えば、上記した比較例に水抜部として単に開口部などを設けたものなどと比べて、爪固定部１１の位置に水抜部２１を設けた方が、毛管現象を利用することができる分だけ、素早く効率的に水抜きを行うことができるようになる（即ち、水抜けが早くなる）。しかも、単なる開口部などでは出難いような少量の液体でも毛管現象を利用することで確実に爪固定部１１へ引き込んで水抜きすることができる。
【００６１】
更に、爪固定部１１は、複雑な形状をしているため、爪固定部１１と一緒に水抜部２１を設けても構造的に大きな変化がなく、また、水抜部２１も容易に設けることができるので、爪固定部１１は水抜部２１を設けるのに適している。しかも、爪固定部１１の位置に水抜部２１を設けることで、水抜部２１を外部から目立たなくすることができ、例えば、開口部などを外部から目立つ位置に設けた場合と比べて、外観品質を良くすることができる。
【００６２】
（効果２）切欠状部３３について
【００６３】
本体ケーシング６と枠部９を固定する爪固定部１１は、本体ケーシング６の側面１２上部に設けた爪部３１に枠部９から下方へ突設された係止片３２が、外側から係合係止される構造になっている。
【００６４】
爪固定部１１をこのような構造とした場合に、水抜部２１を、本体ケーシング６の側面１２の爪部３１よりも上側となる位置（直上部）に設けた切欠状部３３などとしても良い。このように、爪部３１の上側に切欠状部３３を設けることによって、簡単な構成で、爪固定部１１を水抜きに利用して、爪固定部１１に発生する毛管現象などによって（枠部９の内側へ入り込んだ飲料などの液体に対する）水抜きを確実に行わせることができるようになる。
【００６５】
より具体的には、爪固定部１１では、飲料などの液体は、その大部分が、切欠状部３３から係止片３２に設けられた爪穴部３２ａなどを通して外部へ排出される。また、飲料などの液体は、その一部が、毛管現象によって、本体ケーシング６と係止片３２との対向面間の隙間や、本体ケーシング６と係止片３２の側縁部や底縁部との間にできる入隅部分や、本体ケーシング６に設けられた収容凹部３５の内部などへ導かれることで外部へ排出される。
【００６６】
（効果３）水抜部２１の設置位置について
【００６７】
スイッチ装置４は、水平状態で設置される場合や、傾斜状態で設置される場合がある。また、爪固定部１１は、通常、スイッチ装置４に対して複数設けられるが、複数の爪固定部１１は、スイッチ装置４に対して全て同じ高さに揃えて設置される場合や、高さを異ならせて設置される場合がある。このような場合でも、水抜部２１は、少なくとも最も低い位置にある爪固定部１１に対して設けるのが好ましい。これにより、重力を利用して、最も低い位置にある水抜部２１および爪固定部１１から効率的に水抜きを行わせると共に、枠部９の内側の水残りをなくすことができるようになる。
【００６８】
（効果４）液体付着部の幅について
【００６９】
水抜部２１を、爪固定部１１の係止片３２よりも広幅の切欠状部３３としても良い。これにより、切欠状部３３を、係止片３２の両側へハミ出るように設置することができ、以って、飲料などの液体を広幅の切欠状部３３によって確実に係止片３２の両側へ導くことができる。その結果、切欠状部３３における、係止片３２の両側からハミ出た部分を開口部として直接水抜きを行わせることができると共に、爪固定部１１のより多くの部分から毛管現象などを利用した水抜きを行わせることができるので、（枠部９の内側へ入り込んだ）飲料などの液体を、より多く、より早く外部へ排出することができる。
【００７０】
（効果５）マルチファンクションスイッチ６２などについて
【００７１】
スイッチ装置４の本体ケーシング６を、（車両の運転席と助手席との間に設置される）センターコンソール６１に設けると共に、スイッチ操作部８を、マルチファンクションスイッチ６２としても良い。これにより、センターコンソール６１に設けたマルチファンクションスイッチ６２を、飲料などの液体のこぼれに対して強い構造にすることができる。
【符号の説明】
【００７２】
４      スイッチ装置
５      回路基板
６      本体ケーシング
７      上面
８      スイッチ操作部
９      枠部
１１    爪固定部
１２    側面
２１    水抜部
３１    爪部
３２    係止片
３３    切欠状部
５１    広幅切欠部
６１    センターコンソール
６２    マルチファンクションスイッチ
【図１】
2019083132.tif 000003
【図２】
2019083132.tif 000004
【図３】
2019083132.tif 000005
【図４】
2019083132.tif 000006
【図５】
2019083132.tif 000007
【図６】
2019083132.tif 000008
【図７】
2019083132.tif 000009
【図８】
2019083132.tif 000010